(57)【要約】【課題】刈払機の使用時に刈刃から取り外された刈刃カバーの紛失を防止することと刈刃に刈刃カバーを容易に装着することができるようにし、さらに、刈刃カバーの汎用性を高めることである。【解決手段】刈刃カバー３１を柔軟性を有するベルト状に形成し、その長手方向の一端を飛散防護カバー２１に回動自在に取り付ける。刈刃カバー３１の長手方向の中間部を刈刃１４の外周部に掛け渡すとともに、長手方向の他方部に設けたクリップ３７を操作棹１２に取り付けて刈刃カバー３１を刈刃１４に装着する。刈払機１１の作業時には、刈刃１４から取り外した刈刃カバー３１を飛散防護カバー２１からエンジンの側に向けて操作棹１２に沿って伸ばし、クリップ３７を操作棹１２に取り付けて刈払機本体２３に装着する。【選択図】図８
2013031410.tif 000002
【特許請求の範囲】
【請求項１】
操作棹を備えた刈払機本体と、前記操作棹の先端に回転自在に設けられる刈刃と、前記操作棹に取り付けられ前記刈刃を回転駆動する駆動源と、前記刈刃に着脱自在に装着されて該刈刃の外周部を覆う刈刃カバーとを備えた刈払機であって、
前記刈刃カバーは、
一端から他端に延びるように形成され、長手方向の中間部が前記刈刃の外周部に掛け渡されて前記刈刃に装着可能であるとともに、
前記刈刃から取り外されたときに、前記刈払機本体に装着可能であることを特徴とする刈払機。
【請求項２】
前記刈刃カバーの長手方向の一端部が前記刈払機本体に固定されていることを特徴とする請求項１記載の刈払機。
【請求項３】
前記刈刃カバーの長手方向の他端部が前記操作棹の長手方向の任意の位置に着脱可能であることを特徴とする請求項２記載の刈払機。
【請求項４】
前記刈払機本体は前記操作棹に取り付けられて前記刈刃の外周側に配置されるガード部材を備え、前記ガード部材には前記刈刃の径方向外側に位置して一対の案内部が設けられ、前記刈刃カバーは長手方向の一方側が一方の前記案内部に係合するとともに長手方向の他方側が他方の前記案内部に係合することにより、長手方向の中間部が前記刈刃の径方向外側に位置決めされることを特徴とする請求項１〜３のいずれか１項に記載の刈払機。
【請求項５】
前記案内部は溝状に形成されていることを特徴とする請求項４記載の刈払機。
【発明の詳細な説明】
【技術分野】
【０００１】
本発明は、操作棹の先端に設けた刈刃を駆動源により回転駆動して雑草や下草等を刈り取る刈払機に関し、特に、刈刃に装着されて刈刃の外周部を覆う刈刃カバーを備えたものに関する。
【背景技術】
【０００２】
田畑の畦道や山林等に生えた雑草や下草などを刈り払うために、携帯式の刈払機が使用されている。刈払機は中空棒状に形成された操作棹を備えており、操作棹の先端には刈刃が取り付けられている。操作棹の後端には駆動源が取り付けられ、刈刃はこの駆動源により回転駆動される。駆動源としてはエンジンや電動モータ等が用いられ、駆動源の回転は操作棹の内部に収容された伝達軸を介して刈刃に伝達される。操作棹には刈刃の外周側に位置して飛散防護カバーが取り付けられ、この飛散防護カバーにより刈刃に刈り払われた雑草等が作業者の側に飛ばされることが防止される。このような刈払機としては、駆動源を背負い架台に搭載するようにした背負い式、操作棹に取り付けられたループ状のベルトを肩に掛けるようにした肩掛け式とがあり、何れの場合も操作棹に取り付けられたハンドルを手に持って作業が行われる。
【０００３】
刈払機に用いられる刈刃としては、チップソー等の丸鋸タイプと、径方向外方に突出する２〜４枚程度の角刃を備えた異形タイプとがある。また、各タイプの刈刃には外径寸法が相違する複数のサイズのものが用意され、刈り払う草の種類等に応じて任意のタイプ、サイズの刈刃が使用される。
【０００４】
刈刃は操作棹の先端に剥き出しの状態で取り付けられるので、刈払機を使用しない時やこれを運搬する際などには、刈刃を石やコンクリート等との接触による破損から保護し、また、刈刃から作業者等を保護する必要がある。そのため、従来から、刈払機の不使用時や運搬時等においては、刈刃に刈刃カバーを装着し、この刈刃カバーにより刈刃の刃部を覆うようにしている。
【０００５】
従来、丸鋸タイプの刈刃に用いられる刈刃カバーとしては、樹脂材料により断面コの字の帯状に形成され、刈刃の刃が設けられた外周部分に巻き付けるように被せられた後、その両端部が留め具で留められて刈刃に装着される構造のものが知られている。また、異形タイプの刈刃に用いられる刈刃カバーとしては、刈刃の形状に対応した専用の形状に形成されたものが知られている（特許文献１）。
【先行技術文献】
【特許文献】
【０００６】
【特許文献１】特許第３３９８６３３号公報
【発明の概要】
【発明が解決しようとする課題】
【０００７】
しかしながら、従来の刈払機では、刈刃カバーを操作棹やハンドル、飛散防護カバー等からなる刈払機本体とは別体に設けられているので、刈払機の使用時には、刈刃から取り外された刈刃カバーをどこかに置いておく必要があり、場合によっては刈刃カバーを紛失するおそれがあった。
【０００８】
一方、従来の刈刃カバーは、刈刃の外周部分に巻き付け、その両端部を留め具で留める構造であるので、その刈刃への装着作業は煩雑であった。特に、装着後に刈刃から外れないように、刈刃カバーは刈刃の周囲長に合わせた長さ寸法に形成されるので、刈刃カバーを刈刃の外周部に巻き付けると、その両端部に長さ的な余裕がなくなるので、両端部を留め具で留める作業は困難であった。
【０００９】
また、従来の刈刃カバーでは、丸鋸タイプの刈刃に対しては刈刃の周囲長に対応した長さ寸法のものが用いられ、異形タイプの刈刃に対しては刈刃の形状に対応した専用の形状のものが用いられる。そのため、タイプやサイズの異なる複数種類の刈刃に対して、それぞれ専用となる複数種類の刈刃カバーを用意する必要があり、その汎用性は低かった。
【００１０】
本発明の目的は、刈払機の使用時に刈刃から取り外された刈刃カバーの紛失を防止することにある。
【００１１】
本発明の他の目的は、刈刃に刈刃カバーを容易に装着することができるようにし、さらに、刈刃カバーの汎用性を高めることにある。
【課題を解決するための手段】
【００１２】
本発明の刈払機は、操作棹を備えた刈払機本体と、前記操作棹の先端に回転自在に設けられる刈刃と、前記操作棹に取り付けられ前記刈刃を回転駆動する駆動源と、前記刈刃に着脱自在に装着されて該刈刃の外周部を覆う刈刃カバーとを備えた刈払機であって、前記刈刃カバーは、一端から他端に延びるように形成され、長手方向の中間部が前記刈刃の外周部に掛け渡されて前記刈刃に装着可能であるとともに、前記刈刃から取り外されたときに、前記刈払機本体に装着可能であることを特徴とする。
【００１３】
本発明の刈払機は、前記刈刃カバーの長手方向の一端部が前記刈払機本体に固定されていることを特徴とする。
【００１４】
本発明の刈払機は、前記刈刃カバーの長手方向の他端部が前記操作棹の長手方向の任意の位置に着脱可能であることを特徴とする。
【００１５】
本発明の刈払機は、前記刈払機本体は前記操作棹に取り付けられて前記刈刃の外周側に配置されるガード部材を備え、前記ガード部材には前記刈刃の径方向外側に位置して一対の案内部が設けられ、前記刈刃カバーは長手方向の一方側が一方の前記案内部に係合するとともに長手方向の他方側が他方の前記案内部に係合することにより、長手方向の中間部が前記刈刃の径方向外側に位置決めされることを特徴とする。
【００１６】
本発明の刈払機は、前記案内部は溝状に形成されていることを特徴とする。
【発明の効果】
【００１７】
本発明によれば、刈払機の使用時に刈刃から取り外された刈刃カバーを刈払機本体に装着しておくことができるので、刈刃カバーの紛失を防止することができる。
【００１８】
本発明によれば、刈刃カバーを一端から他端に延びるように形成し、長手方向の中間部を刈刃の外周部に掛け渡して刈刃を覆う構成としたので、長手方向の両端部を刈払機本体に保持させるとともに刈刃カバーを刈刃の外周部に掛け渡す簡単な作業で刈刃に刈刃カバーを装着することができる。これにより、刈刃への刈刃カバーの装着作業を容易にすることができる。また、ベルト状の刈刃カバーは形状や外径寸法の相違する刈刃に掛け渡すことが可能であるので、操作棹に形状や外径寸法の相違する複数種類の刈刃が取り付けられても、これらの刈刃に同一の刈刃カバーを装着することができる。これにより、刈刃カバーの汎用性を高めることができる。
【図面の簡単な説明】
【００１９】
【図１】本発明の一実施の形態である刈払機の斜視図である。
【図２】刈払機の先端側部分の平面図である。
【図３】刈払機の先端側部分の側面図である。
【図４】図２に示す刈刃カバーの断面図である。
【図５】図２に示すクリップ部の断面図である。
【図６】図１に示す飛散防護カバーの背面図である。
【図７】図３に示す状態から刈刃カバーを刈刃の側に向けて回転させた状態を示す側面図である。
【図８】刈刃カバーが刈刃に装着された状態を示す平面図である。
【図９】図８におけるＡ−Ａ線に沿う断面図である。
【図１０】図８におけるＢ−Ｂ線に沿う断面図である。
【図１１】異形２枚刃タイプの刈刃に本発明の刈刃カバーを装着した状態を示す平面図である。
【図１２】異形３枚刃タイプの刈刃に本発明の刈刃カバーを装着した状態を示す平面図である。
【発明を実施するための形態】
【００２０】
以下、本発明の一実施の形態について、図面を用いて詳細に説明する。
【００２１】
図１に示す刈払機１１は携帯式の刈払機であり、例えば、田畑の畦道や山林等に生えた雑草や下草などを刈り払う際に使用される。
【００２２】
この刈払機１１は操作棹１２を有しており、この操作棹１２は中空棒状の部材により形成されている。操作棹１２の先端にはギヤケース１３が取り付けられ、このギヤケース１３から突出する図示しない出力軸に刈刃１４が装着されている。刈刃１４は鋼板等の金属板により外周部に多数の鋸刃１４ａを備えた円板状に形成されており、つまり刈刃１４は丸鋸タイプとなっている。刈刃１４は軸心において図示しないナットによりギヤケース１３の出力軸に固定され、出力軸とともに回転するようになっている。出力軸に固定された刈刃１４は、その軸方向が操作棹１２の軸方向に対して傾斜している。なお、符号１５はナットを保護するためのナットカバーである。
【００２３】
操作棹１２の後端には駆動源としてのエンジン１６が取り付けられている。このエンジン１６は２サイクルのガソリンエンジンであり、その出力は操作棹１２の内部に回転自在に収容された図示しない伝達軸を介してギヤケース１３に伝達される。ギヤケース１３には図示しないベベルギヤ対（傘歯車対）が収容され、伝達軸の回転はベベルギヤ対を介して出力軸に伝達される。これにより、エンジン１６が作動すると、伝達軸とベベルギヤ対とを介してエンジン１６の出力が出力軸に伝達され、エンジン１６により刈刃１４が回転駆動される。このように、この刈払機１１は操作棹１２により刈刃１４とエンジン１６とが連結されたアーム連結タイプとなっている。
【００２４】
図示はしないが、操作棹１２には肩掛バンドが装着され、この肩掛バンドにより刈払機１１は肩掛け式として使用される。また、操作棹１２の長手方向中央部分にはループハンドル１７が取り付けられ、作業者は肩掛バンドを肩に掛けるとともにループハンドル１７を手で把持することにより、刈払機１１を携帯して、草の刈り払い作業を行うことができる。
【００２５】
操作棹１２には、刈刃１４が刈り払った草が作業者の側に飛ぶことを防止するためにガード部材としての飛散防護カバー２１が取り付けられている。飛散防護カバー２１は、上板部２１ａと上板部２１ａに垂直に連なるガード本体部２１ｂとが合成樹脂材料や金属板等により一体に形成された構造となっており、上板部２１ａにおいて固定金具２２により操作棹１２に固定されている。図２に示すように、上板部２１ａは刈刃１４の一部を軸方向の上方側（ギヤケース１３の側）から覆っており、図３に示すように、ガード本体部２１ｂは上板部２１ａから下方側に向けて刈刃１４の径方向外側つまり外周側にまで延び、刈刃１４の外周部に対向している。飛散防護カバー２１はその全体が刈刃１４の側に向けて湾曲しており、また、操作棹１２に対して右側部分よりも作業者側である左側部分が側方に大きく突出した形状となっている。これにより、回転する刈刃１４が刈り払う草等を効率よく飛散防護カバー２１で受け止めることができる。
【００２６】
刈払機１１では、操作棹１２、ループハンドル１７および飛散防護カバー２１などにより刈払機本体２３が構成される。
【００２７】
この刈払機１１は、刈払機１１の不使用時や運搬時等において刈刃１４を保護するとともに作業者を刈刃１４から保護するために、刈刃カバー３１を備えている。刈刃カバー３１は刈刃１４に対して着脱自在となっており、刈払機１１の不使用時や運搬時等には、刈刃カバー３１を刈刃１４に装着して刈刃１４の外周部を覆うことができる。また、刈払機１１の使用時には、刈刃カバー３１を刈刃１４から取り外して、刈払機本体２３に装着することができるようになっている。
【００２８】
刈刃カバー３１は、ゴム、ナイロン、合成樹脂、革等により、柔軟性（可撓性）を有するベルト状（帯状）に形成されている。刈刃カバー３１の長さ寸法は操作棹１２よりも短くなっており、また、その幅寸法は刈刃１４の厚みよりも大きくなっている。図４に示すように、刈刃カバー３１は、図４において上下方向で示される幅方向の両端にそれぞれ断面矩形の補強部３１ａ，３１ｂを備え、各補強部３１ａ，３１ｂの間は厚み方向の一方側の面が凸形状、他方側の面が凹形状となって湾曲するカバー部３１ｃとなっている。刈刃カバー３１は、カバー部３１ｃの凹形状の面が向く側には容易に曲がることができ、凸形状の面が向く側や幅方向には曲げづらくなっている。なお、刈刃カバー３１の断面形状は長手方向に一様である。
【００２９】
刈刃カバー３１の長手方向の一端部には連結具３２が設けられ、この連結具３２はピン部材３３により飛散防護カバー２１に一体に設けられた連結片３４に回動自在に連結されている。図２、図３に示すように、連結片３４は刈刃１４の軸方向と操作棹１２の軸方向とに平行な板状に形成されており、ガード本体部２１ｂの上板部２１ａとは反対側となる下端部に、操作棹１２に対して作業者側（ループハンドル１７側）から見て右側にずれて配置されている。また、連結片３４はガード本体部２１ｂから刈刃１４とは反対側に向けて突出している。ピン部材３３は刈刃１４の軸方向と操作棹１２の軸方向とに垂直な方向つまり左右方向に向けて配置されている。これにより、刈刃カバー３１はピン部材３３を中心として飛散防護カバー２１に対して刈刃１４の側と刈刃１４の反対側とに向けて回動自在となっている。また、ピン部材３３は連結片３４に留められているので、刈刃カバー３１は、その長手方向の一端部が飛散防護カバー２１に位置決めされた状態に保持されて、飛散防護カバー２１から取り外せないようになっている。
【００３０】
刈刃カバー３１の長手方向の他端部には連結具３５が設けられ、この連結具３５にはピン部材３６によりクリップ３７が回動自在に連結されている。図５に示すように、クリップ３７は合成樹脂材料により断面Ｃ字の半円筒状に形成されており、その内径寸法は操作棹１２の外径寸法と同一または操作棹１２の外径寸法よりも若干小さくなっている。また、クリップ３７は、Ｃ字の開口部分を拡大する方向に弾性変形自在となっている。これにより、クリップ３７を操作棹１２の外側に嵌め込んで、操作棹１２に着脱自在に取り付けることができる。操作棹１２の断面形状は長手方向に一様な円形であるので、クリップ３７つまり刈刃カバー３１の飛散防護カバーに取り付けられていない長手方向の他端部を操作棹１２の長手方向の任意の位置に取り付けることができる。
【００３１】
飛散防護カバー２１のガード本体部２１ｂには案内部として一対の案内溝４１ａ，４１ｂが設けられている。図６に示すように、これらの案内溝４１ａ，４１ｂは、それぞれガード本体部２１ｂの下端から上板部２１ａの側に向けて真っ直ぐに延びる溝状に形成されており、その溝幅寸法は刈刃カバー３１の厚み寸法よりも若干大きくなっている。各案内溝４１ａ，４１ｂはガード本体部２１ｂの下端に設けられているので、刈刃１４の径方向外側に位置して刈刃１４の外周部に対向している。刈刃カバー３１が連結された連結片３４は、ガード本体部２１ｂに操作棹１２に対して右側部分に設けられる案内溝４１ａの縁部に配置されており、刈刃カバー３１はピン部材３３を中心として刈刃１４の側に回動すると案内溝４１ａに差し込まれて、当該案内溝４１ａに係合するようになっている。ガード本体部２１ｂに操作棹１２に対して左側部分に設けられる他方の案内溝４１ｂは、ガード本体部２１ｂの右側部分に設けられる案内溝４１ａよりも上板部２１ａに向けた溝長さが長くなっている。これらの案内溝４１ａ，４１ｂは、操作棹１２を挟んで左右対称な位置に配置されており、また、案内溝４１ａと案内溝４１ｂの間隔は刈刃１４の外径寸法よりも小さくなっている。
【００３２】
刈払機１１の不使用時や運搬時等には、刈刃カバー３１を刈刃１４に装着して、刈刃１４の外周部を刈刃カバー３１により覆うことができる。
【００３３】
刈刃カバー３１を刈刃１４に装着する際は、図７に示すように、ピン部材３３を中心として刈刃カバー３１を刈刃１４の側に回動させ、その根本部分を飛散防護カバー２１の案内溝４１ａに嵌め込み係合させる。次に、刈刃カバー３１の長手方向の中間部を刈刃１４の外周部に沿って被せ、刈刃１４の外周部に掛け渡す。そして、長手方向の中間部を刈刃１４の外周部に掛け渡したまま、刈刃カバー３１の長手方向の他端側を飛散防護カバー２１の案内溝４１ｂに嵌め込んで係合させるとともに飛散防護カバー２１に対して後方側（エンジン１６側）に引き出し、その先端に設けられたクリップ３７を操作棹１２に取り付ける。クリップ３７は、刈刃カバー３１が刈刃１４の外周部から外れない位置に取り付けられる。これにより、図８に示すように、刈刃カバー３１は、長手方向の一端部が飛散防護カバー２１に保持され、長手方向の中間部が刈刃１４の外周部に掛け渡されるとともに、長手方向の他端部が操作棹１２に保持された状態となって刈刃１４に装着される。刈刃カバー３１が刈刃１４に装着されると、刈刃１４の鋸刃１４ａが設けられた外周部は刈刃カバー３１により覆われるので、刈刃１４を保護するとともに作業者を刈刃１４から保護することができる。
【００３４】
ここで、この刈払機１１では、飛散防護カバー２１に、刈刃１４の外周部の径方向外側に位置して、つまり刈刃１４の外周部に径方向外側から対向するように一対の案内溝４１ａ，４１ｂを設け、刈刃カバー３１の長手方向の一端側と他端側とをこれらの案内溝４１ａ，４１ｂに係合させるようにしたので、図７に示すように、刈刃カバー３１の長手方向の中間部を、刈刃１４の径方向外側にその外周部に沿って配置することができる。これにより、刈刃カバー３１を刈刃１４に装着する際には、刈刃カバー３１を刈刃１４の外周部に対して傾斜させることなく刈刃１４の径方向外側に位置決めすることができるので、この刈刃カバー３１を刈刃１４に径方向外側から掛け渡す作業は容易である。また、飛散防護カバー２１の案内溝４１ａ，４１ｂの間隔は刈刃１４の外径寸法よりも小さくされているので、刈刃カバー３１の刈刃１４の外周部に掛け渡される範囲、つまり刈刃１４の外周部の刈刃カバー３１に覆われる範囲を大きくすることができる。
【００３５】
刈刃カバー３１は、カバー部３１ｃの凹形状となる面を刈刃１４の外周部に向けて刈刃１４の外周部に掛け渡され、刈刃カバー３１が刈刃１４に装着されたときには、図１０に示すように、刈刃カバー３１のカバー部３１ｃの凹形状となる面が刈刃１４の外周部に当接するようになっている。これにより、刈刃カバー３１に当接した刈刃１４は刈刃カバー３１に対してその幅方向に移動しづらくなるので、刈刃１４に掛け渡された刈刃カバー３１を刈刃１４から外れにくくすることができるとともに、刈刃１４の外周部への刈刃カバー３１の掛け渡し作業を容易にすることができる。
【００３６】
このように、この刈払機１１では、長手方向の一端部が飛散防護カバー２１に回動自在に取り付けられた刈刃カバー３１を刈刃１４の側に回動させ、その長手方向の中間部を刈刃１４の外周部に掛け渡すとともに、長手方向の他端部に設けられたクリップ３７を操作棹１２に取り付ける簡単な作業で、刈刃カバー３１を刈刃１４に装着することができる。
【００３７】
一方、刈払機１１の使用時には刈刃カバー３１は刈刃１４から取り外され、刈刃１４から取り外された刈刃カバー３１は、図１、図２に示すように、刈払機本体２３に装着することができる。
【００３８】
刈刃１４から取り外された刈刃カバーは、ピン部材３３を中心として飛散防護カバー２１に対して刈刃１４とは反対側に向けて回動され、操作棹１２に沿ってエンジン１６の側に向けて伸ばされる。そして、刈刃カバー３１は、その先端に取り付けられたクリップ３７が操作棹１２に取り付けられることにより刈払機本体２３に装着される。クリップ３７は、飛散防護カバー２１とクリップ３７との間で刈刃カバー３１に弛みが生じないように、刈刃カバー３１に張力が加わる位置において操作棹１２に取り付けられる。
【００３９】
このように、刈払機の使用時には、刈刃カバーを、その長手方向の一端を飛散防護カバー２１に保持させるとともに長手方向の他端をクリップ３７により操作棹１２に保持させて操作棹１２に沿うように刈払機本体２３に装着することができる。つまり、刈払機１１の使用時には、刈刃１４から取り外した刈刃カバー３１を刈払機本体２３に装着しておくことができるので、刈払機１１を使用した作業中に刈刃カバー３１を紛失することを防止することができる。
【００４０】
特に、本実施の形態においては、刈刃カバー３１を、その長手方向の一端部において飛散防護カバー２１に取り付けるようにしているので、刈刃カバー３１を刈払機本体２３から離脱不能として、刈刃カバー３１の紛失を確実に防止することができる。また、刈払機１１を用いた作業中に刈刃カバー３１を刈払機本体２３に装着しておくことができるので、作業後に、刈刃カバー３１を刈刃１４に直ぐに装着することができる。
【００４１】
図１１は異形２枚刃タイプの刈刃に本発明の刈刃カバーを装着した状態を示す平面図であり、図１２は異形３枚刃タイプの刈刃に本発明の刈刃カバーを装着した状態を示す平面図である。なお、図１１，１２においては、前述した部材には同一の符号を付してある。
【００４２】
本発明の刈刃カバー３１は、ベルト状に形成され、これを刈刃１４の外周部に掛け渡して刈刃カバー３１を刈刃１４に装着する構造であり、また、その長手方向の他端部に設けられたクリップ３７の操作棹１２への取り付け位置は任意に調整可能である。
【００４３】
そのため、刈払機１１の操作棹１２の先端に、例えば図１１に示す異形２枚刃タイプの刈刃１４や、図１２に示す異形３枚刃タイプの刈刃１４が装着された場合であっても、これらの刈刃１４に対して丸鋸タイプの刈刃１４に装着されるのと同一の刈刃カバー３１を装着することができる。
【００４４】
このように、刈刃カバー３１はベルト状に形成され、その長手方向の他端部に設けられたクリップ３７の操作棹１２への取り付け位置を任意に調整できる構成であるので、クリップ３７の操作棹１２への取り付け位置を調整することで、形状や外径寸法の相違する複数種類の刈刃１４に対して、この刈刃カバー３１を装着することができる。
【００４５】
なお、飛散防護カバー２１の左側の案内溝４１ｂは右側の案内溝４１ａよりも溝長が長く形成されているので、刈刃１４の形状や外形寸法の相違によりクリップ３７の操作棹１２への取り付け位置が変化しても、刈刃カバー３１を案内溝４１ｂの範囲内で案内することができる。
【００４６】
本発明は前記実施の形態に限定されるものではなく、その要旨を逸脱しない範囲で種々変更可能であることは言うまでもない。
【００４７】
例えば、前記実施の形態においては、刈刃カバー３１の長手方向の一端部を飛散防護カバー２１の連結片３４に取り付けるようにしているが、これに限らず、例えば刈刃カバー３１の長手方向の一端部を操作棹１２に取り付けるなど、刈払機本体２３の他の位置に刈刃カバー３１の一端部を取り付けるようにしてもよい。
【００４８】
また、前記実施の形態においては、刈刃カバー３１の長手方向の一端部を飛散防護カバー２１に取り外しできないように固定しているが、これに限らず、刈刃カバー３１の長手方向の両端部に、それぞれ図５に示すクリップ３７を設け、これらのクリップ３７により刈刃カバー３１の両端を操作棹１２に保持させるようにしてもよい。
【００４９】
さらに、前記実施の形態においては、刈刃カバー３１を、柔軟性（可撓性）を有する材質によりベルト状に形成するようにしているが、これに限らず、多数の硬質な部分ないし部材を関節構造により長手方向に連結することにより湾曲自在に構成された多関節構造を有するベルト状に刈刃カバー３１を形成するようにしてもよい。
【００５０】
さらに、前記実施の形態においては、駆動源としてエンジン１６が用いられているが、駆動源として電動モータを用いるようにしてもよい。駆動源として電動モータを用いる場合には、電動モータを操作棹１２の先端に刈刃１４と同軸に設け、操作棹１２の後端にバッテリを装着するようにしてもよい。
【符号の説明】
【００５１】
１１  刈払機
１２  操作棹
１３  ギヤケース
１４  刈刃
１４ａ  鋸刃
１５  ナットカバー
１６  エンジン（駆動源）
１７  ループハンドル
２１  飛散防護カバー（ガード部材）
２１ａ  上板部
２１ｂ  ガード本体部
２２  固定金具
２３  刈払機本体
３１  刈刃カバー
３１ａ，３１ｂ  補強部
３１ｃ  カバー部
３２  連結具
３３  ピン部材
３４  連結片
３５  連結具
３６  ピン部材
３７  クリップ
４１ａ，４１ｂ  案内溝（案内部）
【図１】
2013031410.tif 000003
【図２】
2013031410.tif 000004
【図３】
2013031410.tif 000005
【図４】
2013031410.tif 000006
【図５】
2013031410.tif 000007
【図６】
2013031410.tif 000008
【図７】
2013031410.tif 000009
【図８】
2013031410.tif 000010
【図９】
2013031410.tif 000011
【図１０】
2013031410.tif 000012
【図１１】
2013031410.tif 000013
【図１２】
2013031410.tif 000014